【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
ローカルエリアネットワークに接続されたサーバにコンテンツを保存する方法であって、
前記サーバは、前記ローカルエリアネットワークに接続された１つまたは複数の再生装置による、及び前記サーバと前記再生装置との間の相互運用性プロトコルの使用による、オーディオビジュアルコンテンツの同期再生に適合し、
送信されたコンテンツを、前記ローカルエリアネットワークに接続された１つの機器によって、配信チャネルから受信するステップ（Ｓ２、Ｓ３）であって、前記送信されたコンテンツはタイムスタンプを含み、前記タイムスタンプは、前記コンテンツの開始から経過した時間を示すステップと、
前記ローカルエリアネットワークに接続された再生装置による再生のために、少なくとも１つの時間的再生情報を、前記タイムスタンプのうちの少なくとも１つ、および前記ローカルエリアネットワークのウォールクロックから計算するステップ（Ｓ４）と、
前記コンテンツの少なくとも一部を、前記ローカルエリアネットワークの前記サーバに保存するステップ（Ｓ５）と、
前記少なくとも１つの時間的再生情報を前記ローカルエリアネットワークのサーバに保存するステップ（Ｓ６）と、
を含む、前記方法。
【請求項２】
開始時刻が前記少なくとも１つの時間的再生情報によって決まる、再生するステップを含む、請求項１に記載の方法。
【請求項３】
前記再生するステップは、前記少なくとも１つの時間的再生情報により指定された時刻より前に開始することはできず、前記コンテンツは前記指定時刻より前には利用できない、請求項２に記載の方法。
【請求項４】
前記再生ステップは、前記少なくとも１つの時間的再生情報により規定された時刻に開始する、請求項２乃至３のいずれか１項に記載の方法。
【請求項５】
前記再生ステップは、前記少なくとも１つの時間的再生情報により規定された時刻に、前記ファイルを少なくとも１つの宛先に送信するステップを含む、請求項２乃至４のいずれか１項に記載の方法。
【請求項６】
前記再生ステップは、前記コンテンツの少なくとも一部を送信するという要求を受信した後、前記ファイルを少なくとも１つの宛先に送信するステップを含む、請求項２乃至５のいずれか１項に記載の方法。
【請求項７】
前記少なくとも１つの時間的再生情報を計算するステップは、前記コンテンツを保存するために利用可能な領域の量に依存する、請求項１乃至６のいずれか１項に記載の方法。
【請求項８】
前記コンテンツの少なくとも一部をファイルに保存するステップは、循環バッファ方法に従うバッファファイルを使用する、請求項１乃至７のいずれか１項に記載の方法。
【請求項９】
前記サーバのファイルは、前記コンテンツ受信後、前記コンテンツの全てを含む、請求項１乃至８のいずれか１項に記載の方法。
【請求項１０】
前記放送チャネルは、双方向広帯域チャネルである、請求項１乃至９のいずれか１項に記載の方法。
【請求項１１】
前記サーバは、ユニバーサルプラグアンドプレイＡＶ相互運用性規格に対応するローカルメディアサーバである、請求項１乃至１０のいずれか１項に記載の方法。
【請求項１２】
前記少なくとも１つの時間的再生情報は、予定開始時刻パラメータを示すコンテンツ記述サービスの情報フィールドに書き込まれる、請求項１乃至１１のいずれか１項に記載の方法。
【請求項１３】
コンテンツ記述サービスにおいて、前記少なくとも１つの時間的再生情報には、前記サーバに接続された機器によってアクセスすることができる、請求項１乃至１２のいずれか１項に記載の方法。
【請求項１４】
コンテンツをファイルに保存するための装置であって、
タイムスタンプを含む送信されたコンテンツを受信するための入力インタフェース（１３１）であって、前記タイムスタンプが前記コンテンツの開始から経過した時間を示す入力インタフェースと、
少なくとも１つの時間的再生情報を、前記タイムスタンプのうちの少なくとも１つ、およびウォールクロックから計算するためのモジュール（１３２）であって、前記ウォールクロックがローカルエリアネットワークの時刻基準であるモジュールと、
前記送信されたコンテンツを保存し、前記少なくとも１つの時間的再生情報を保存することができる保存用モジュール（１３３）と、
を備える、前記装置。
【手続補正２】
【補正対象書類名】明細書
【補正対象項目名】０１０２
【補正方法】変更
【補正の内容】
【０１０２】
より一般的には、本発明は、その変形例による、上述の方法を実装する任意の装置またはシステムに適用できる。
［付記１］
ローカルエリアネットワークに接続されたサーバにコンテンツを保存する方法であって、
前記サーバは、前記ローカルエリアネットワークに接続された１つまたは複数の再生装置による、及び前記サーバと前記再生装置との間の相互運用性プロトコルの使用による、オーディオビジュアルコンテンツの同期再生に適合され、
送信されたコンテンツを、前記ローカルエリアネットワークに接続された１つの機器によって、配信チャネルから受信するステップ（Ｓ２、Ｓ３）であって、前記送信されたコンテンツはタイムスタンプを含み、前記タイムスタンプは、前記コンテンツの開始から経過した時間を示すステップと、
前記ローカルエリアネットワークに接続された再生装置による再生のための少なくとも１つの時間的再生情報を、前記タイムスタンプのうちの少なくとも１つ、および前記ローカルエリアネットワークのウォールクロックから計算するステップ（Ｓ４）と、
前記コンテンツの少なくとも一部を、前記ローカルエリアネットワークの前記サーバに保存するステップ（Ｓ５）と、
前記少なくとも１つの時間的再生情報を前記ローカルエリアネットワークのサーバに保存するステップ（Ｓ６）と、
を含む、前記方法。
［付記２］
開始時刻が前記少なくとも１つの時間的再生情報に依存する、再生するステップを含む、付記１に記載の方法。
［付記３］
前記再生するステップは、前記少なくとも１つの時間的再生情報により指定された時刻より前に開始することはできず、前記コンテンツは前記指定された時刻より前には利用できない、付記２に記載の方法。
［付記４］
前記再生するステップは、前記少なくとも１つの時間的再生情報により規定された時刻に開始する、付記２乃至３のいずれか１項に記載の方法。
［付記５］
前記再生するステップは、前記少なくとも１つの時間的再生情報により規定された時刻に、前記ファイルを少なくとも１つの宛先に送信するステップを含む、付記２乃至４のいずれか１項に記載の方法。
［付記６］
前記再生するステップは、前記コンテンツの少なくとも一部を送信するための要求を受信した後、前記ファイルを少なくとも１つの宛先に送信するステップを含む、付記２乃至５のいずれか１項に記載の方法。
［付記７］
前記少なくとも１つの時間的再生情報を計算するステップは、前記コンテンツを保存するために利用可能な領域の量に依存する、付記１乃至６のいずれか１項に記載の方法。
［付記８］
前記コンテンツの少なくとも一部をファイルに保存するステップは、循環バッファ方法に従うバッファファイルを使用する、付記１乃至７のいずれか１項に記載の方法。
［付記９］
前記サーバのファイルは、前記コンテンツ受信後、前記コンテンツの全てを含む、付記１乃至８のいずれか１項に記載の方法。
［付記１０］
前記放送チャネルは、双方向広帯域チャネルである、付記１乃至９のいずれか１項に記載の方法。
［付記１１］
前記サーバは、ユニバーサルプラグアンドプレイＡＶ相互運用性規格と互換性があるローカルメディアサーバである、付記１乃至１０のいずれか１項に記載の方法。
［付記１２］
前記少なくとも１つの時間的再生情報は、予定開始時刻パラメータを示すコンテンツ記述サービスの情報フィールドに書き込まれる、付記１乃至１１のいずれか１項に記載の方法。
［付記１３］
コンテンツ記述サービスにおいて、前記少なくとも１つの時間的再生情報には、前記サーバに接続された機器によってアクセスすることができる、付記１乃至１２のいずれか１項に記載の方法。
［付記１４］
コンテンツをファイルに保存するための装置であって、
タイムスタンプを含む送信されたコンテンツを受信するための入力インタフェース（１３１）であって、前記タイムスタンプが前記コンテンツの開始から経過した時間を示す入力インタフェースと、
少なくとも１つの時間的再生情報を、前記タイムスタンプのうちの少なくとも１つ、およびウォールクロックから計算するためのモジュール（１３２）であって、前記ウォールクロックがローカルエリアネットワークの時刻基準であるモジュールと、
前記送信されたコンテンツを保存し、前記少なくとも１つの時間的再生情報を保存することができる保存用モジュール（１３３）と、
を備える、前記装置。
［付記１５］
前記少なくとも１つの時間的再生情報を、予定開始時刻パラメータを示すコンテンツ記述サービスの情報フィールドに書き込むためのモジュール（１３４）を備える、付記１４に記載の装置。
［付記１６］
前記少なくとも１つの時間的再生情報に基づく時刻に前記コンテンツを送信するためのインタフェースを備える、付記１４乃至１５のいずれか１項に記載の装置。